(57)【要約】【課題】ファインダ視野枠と撮影対象のフィルムとの位置合わせが容易にでき、撮影対象となるフィルムの位置がずれたまま撮影されることを防止できる撮影用フィルム保持装置を提供することである。【解決手段】レンズ鏡筒にねじ込んで取り付ける本体部１と、撮影対象となるフィルムを保持するフィルム保持部２１からなる撮影用フィルム保持装置において、フィルム保持部２１に設けられた開口部２１１ａに、ファインダ視野枠３と撮影対象のフィルムとの位置を合わせる指標部として、開口部２１１ａの角部を指し示す２本の線分を有する指示部２１２を設ける。使用者は、フィルム保持装置を取り付けたカメラのファインダから観察し、ファインダ視野枠３の角部と指示部２１２の２本の線分とを一致させて、ファインダ視野枠３と開口部２１１ａとの傾きを合わせ、これにより、ファインダ視野枠３とフィルム保持部２１との傾きを合わせることができる。【選択図】図３
2005283884.tif 000002
【特許請求の範囲】
【請求項１】
カメラのレンズ鏡筒の対物側に取り付け可能な本体部と、
撮影対象のフィルムを保持し、前記本体部に装着されるフィルム保持部と、
前記フィルム保持部に少なくとも１つ設けられた矩形の開口部と、
前記フィルム保持部の少なくとも１つの前記開口部に設けられ、ファインダ視野枠と前記開口部との位置を決める指標部と、
を備える撮影用フィルム保持装置。
【請求項２】
請求項１に記載の撮影用フィルム保持装置において、
前記指標部は、前記開口部の対角を結ぶ少なくとも１本の線分と重なる指示部を有すること、
を特徴とする撮影用フィルム保持装置。
【請求項３】
請求項１に記載の撮影用フィルム保持装置において、
前記指標部は、前記ファインダ視野枠と前記開口部との位置が合っているときは、前記ファインダ視野枠内には観察されない少なくとも２つの透過部を有し、
前記透過部は、少なくとも１つが前記ファインダ視野枠と前記開口部との位置がずれているときに前記ファインダ視野枠内に観察されること、
を特徴とする撮影用フィルム保持装置。
【請求項４】
請求項３に記載の撮影用フィルム保持装置において、
前記透過部は、前記開口部の隣り合う少なくとも２つの角部に設けられること、
を特徴とする撮影用フィルム保持装置。
【請求項５】
請求項３に記載の撮影用フィルム保持装置において、
前記透過部は、前記開口部の少なくとも３つの辺に設けられること、
を特徴とする撮影用フィルム保持装置。
【請求項６】
請求項２に記載の撮影用フィルム保持装置において、
前記指示部は、前記フィルム保持部に着脱可能に装着されること、
を特徴とする撮影用フィルム保持装置。
【請求項７】
請求項１から請求項６までのいずれか１項に記載の撮影用フィルム保持装置において、
前記本体部は、前記本体部に着脱可能に装着される本体側指標部を備えており、
前記本体側指標部は、前記指示部と重なって前記ファインダ視野枠内に表示され、前記ファインダ視野枠と前記開口部との位置を決める機能を果たすこと、
を特徴とする撮影用フィルム保持装置。
【請求項８】
請求項１から請求項７までのいずれか１項に記載の撮影用フィルム保持装置において、
前記本体部は、前記フィルム保持部を所定の方向に移動させ、前記撮影対象のフィルムのコマを送るときに、前記開口部を所定の位置で停止させ、前記ファインダ視野枠と前記開口部との位置を決めるコマ送り方向位置決め機構部を備えており、
前記コマ送り方向位置決め機構部は、作動の有無を切り換え可能であること、
を特徴とする撮影用フィルム保持装置。
【請求項９】
請求項１から請求項８までのいずれか１項に記載の撮影用フィルム保持装置において、
前記本体部及び前記フィルム保持部は、前記フィルム保持部を所定の方向に移動させ、前記撮影対象のフィルムのコマを送るときに、前記ファインダ視野枠と前記開口部との位置を決めるコマ送り方向位置決め指標部を備えていること、
を特徴とする撮影用フィルム保持装置。
【発明の詳細な説明】
【技術分野】
【０００１】
本発明は、撮影対象のフィルムを、カメラのレンズ鏡筒に装着する撮影用フィルム保持装置に関するものである。
【背景技術】
【０００２】
撮影用フィルム保持装置は、撮影対象となるフィルムをカメラのレンズ鏡筒の先端に装着して、カメラで撮影することにより、フィルムを簡易に複写できるようにする装置である（例えば、特許文献１参照。）。
【０００３】
この種の撮影用フィルム保持装置は、カメラのレンズ鏡筒の先端にねじ込んで装着するので、装着したときの撮影用フィルム保持装置のレンズ鏡筒の光軸を中心とした回転方向の位置（以下、レンズ鏡筒の光軸を中心とした回転方向の位置を、“傾き”と呼ぶこととする。）は、一定していない。そのため、撮影用フィルム保持装置を装着したときに、ファインダから観察できる領域を定める枠であるファインダ視野枠と撮影対象となるフィルムとの傾きを、ファインダ等で確認して合わせる必要があった。このときに、特にファインダ視野率の低いカメラ等では、ファインダ視野枠内に表示される領域は、撮影領域よりも小さく、撮影領域全体をファインダから観察することができないため、撮影対象のフィルムの位置決めが難しく、使用者が撮影時にファインダで位置を確認し、正しい位置と思って撮影したものが、実際は傾いて撮影されている等の問題があった。
【０００４】
また、この種の撮影用フィルム保持装置は、複数コマのフィルムを同一平面上に一列に並べて保持するフィルム保持部を使用する場合、フィルム保持部を所定の方向に移動させてフィルムのコマを送り、連続して順次撮影するときに、ファインダ視野枠と撮影対象のフィルムとのコマ送り方向の位置が合わないという問題があった。
【０００５】
【特許文献１】特開２００１−１４５０１９号公報
【発明の開示】
【発明が解決しようとする課題】
【０００６】
本発明の課題は、ファインダ視野枠と撮影対象のフィルムとの位置合わせが容易にでき、フィルムの位置がずれたまま撮影されることを防止できる撮影用フィルム保持装置を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、カメラのレンズ鏡筒の対物側に取り付け可能な本体部（１）と、撮影対象のフィルムを保持し、前記本体部（１）に装着されるフィルム保持部（２１、２２、２３）と、前記フィルム保持部（２１、２２、２３）に少なくとも１つ設けられた矩形の開口部（２１１、２２１、２３１）と、前記フィルム保持部（２１、２２、２３）の少なくとも１つの前記開口部（２１１ａ、２２１ａ、２３１ａ）に設けられ、ファインダ視野枠（３）と前記開口部（２１１、２２１、２３１）との位置を決める指標部（２１２、２２２、４２）と、を備える撮影用フィルム保持装置である。
【０００８】
請求項２の発明は、請求項１に記載の撮影用フィルム保持装置において、前記指標部（２１２）は、前記開口部（２１１ａ）の対角を結ぶ少なくとも１本の線分と重なる指示部（２１２）を有すること、を特徴とする撮影用フィルム保持装置である。
【０００９】
請求項３の発明は、請求項１に記載の撮影用フィルム保持装置において、前記指標部（２２２）は、前記ファインダ視野枠（３）と前記開口部（２２１ａ）との位置が合っているときは、前記ファインダ視野枠（３）内には観察されない少なくも２つの透過部（２２２）を有し、前記透過部（２２２）は、少なくとも１つが前記ファインダ視野枠（３）と前記開口部（２２１ａ）との位置がずれているときに前記ファインダ視野枠（３）内に観察されること、を特徴とする撮影用フィルム保持装置である。
【００１０】
請求項４の発明は、請求項３に記載の撮影用フィルム保持装置において、前記透過部（２２２）は、前記開口部（２２１ａ）の隣り合う少なくとも２つの角部に設けられること、を特徴とする撮影用フィルム保持装置である。
【００１１】
請求項５の発明は、請求項３に記載の撮影用フィルム保持装置において、前記透過部（２２２）は、前記開口部（２２１ａ）の少なくとも３つの辺に設けられること、を特徴とする撮影用フィルム保持装置である。
【００１２】
請求項６の発明は、請求項２に記載の撮影用フィルム保持装置において、前記指示部（４２１）は、前記フィルム保持部（２３）に着脱可能に装着されること、を特徴とする撮影用フィルム保持装置である。
【００１３】
請求項７の発明は、請求項１から請求項６までのいずれか１項に記載の撮影用フィルム保持装置において、前記本体部（１）は、前記本体部（１）に着脱可能に装着される本体側指標部（４１）を備えており、前記本体側指標部（４１）は、前記指示部（４２１）と重なって前記ファインダ視野枠（３）内に表示され、前記ファインダ視野枠（３）と前記開口部（２３１）との位置を決める機能を果たすこと、を特徴とする撮影用フィルム保持装置である。
【００１４】
請求項８の発明は、請求項１から請求項７までのいずれか１項に記載の撮影用フィルム保持装置において、前記本体部（１）は、前記フィルム保持部（２１、２２）を所定の方向に移動させ、前記撮影対象のフィルムのコマを送るときに、前記開口部（２１１、２２１）を所定の位置で停止させ、前記ファインダ視野枠（３）と前記開口部（２１１、２２１）との位置を決めるコマ送り方向位置決め機構部を備えており、前記コマ送り方向位置決め機構部は、作動の有無を切り換え可能であること、を特徴とする撮影用フィルム保持装置である。
【００１５】
請求項９の発明は、請求項１から請求項８までのいずれか１項に記載の撮影用フィルム保持装置において、前記本体部（１）及び前記フィルム保持部（２４）は、前記フィルム保持部（２４）を所定の方向に移動させ、前記撮影対象のフィルムのコマを送るときに、前記ファインダ視野枠（３）と前記開口部（２４１）との位置を決めるコマ送り方向位置決め指標部（５１、５２）を備えていること、を特徴とする撮影用フィルム保持装置である。
【発明の効果】
【００１６】
本発明によれば、以下の効果を奏することができる。
（１）フィルム保持部に設けられた少なくとも１つの開口部に、ファインダ視野枠と開口部との位置を決める指標部を設けることにより、ファインダ視野枠と開口部との位置を容易に決めることができ、ファインダ視野枠と撮影対象のフィルムとの位置がずれたまま撮影されることを防止できる。
【００１７】
（２）指示部は、開口部の対角を結ぶ少なくとも１本の線分と重なるように設けられることにより、開口部の角部の位置を使用者にわかりやすく示し、ファインダ視野枠と開口部との位置を容易に決めることができる。
【００１８】
（３）透過部は、開口部に少なくとも２つ設けられ、ファインダ視野枠と開口部との位置が合っているときはファインダ視野枠内に観察されず、この位置がずれているときは少なくとも１つの透過部がファインダ視野枠内に観察されるように設けられることにより、ファインダ視野枠と開口部との位置を容易に決めることができる。また、透過部は、この位置が合っているときはファインダ視野枠内に観察されないので、透過部を設けた開口部を撮影に使用できる。
【００１９】
（４）指示部は、フィルム保持部に着脱可能に装着されることにより、ファインダ視野枠と開口部との位置を合わせた後に、フィルム保持部から取り外すことができる。よって、全ての開口部を撮影に使用することができる。
【００２０】
（５）本体側指標部は、指示部と重なってファインダ視野枠内に表示されることにより、ファインダ視野枠と開口部とのコマ送り方向の位置を容易に決めることができる。また、本体側指標部は、本体部に着脱可能であり、ファインダ視野枠と開口部との位置を合わせた後に、本体部から取り外して、フィルムを撮影することができる。
【００２１】
（６）コマ送り方向位置決め機構部は、本体部及びフィルム保持部に設けることにより、ファインダ視野枠と開口部とのコマ送り方向の位置を容易に決めることができる。
【００２２】
（７）コマ送り方向位置決め指標部は、本体部及びフィルム保持部に設けることにより、ファインダ視野枠と開口部とのコマ送り方向の位置を容易に決めることができる。
【発明を実施するための最良の形態】
【００２３】
本発明は、撮影用フィルム保持装置において、撮影対象となるフィルムとファインダ視野枠との位置決めを容易にし、撮影対象となるフィルムとファインダ視野枠との位置がずれたまま撮影されることを防止するという目的を、撮影対象となるフィルムとファインダ視野枠との位置を決める指標部を設けることにより実現した。
【実施例１】
【００２４】
図１は、実施例１の撮影用フィルム保持装置の本体部１を示す図である。図１（ａ）は、本体部１が取り付けられる不図示のレンズ鏡筒の光軸方向対物側から本体部１を見た図であり、図１（ｂ）は、本体部１が取り付けられるレンズ鏡筒の光軸を中心とする径方向から本体部１を見た図である。
図２は、実施例１の撮影用フィルム保持装置のフィルム保持部２１の図である。
なお、本明細書では、以下、レンズ鏡筒の光軸を単に“光軸”と呼ぶこととする。また、光軸方向像側を“像側”と呼び、光軸方向対物側を“対物側”と呼ぶこととする。
【００２５】
実施例１の撮影用フィルム保持装置は、本体部１と、フィルム保持部２１とを備えている。
本体部１は、略筒状であり、筒部１１、内筒部１３、外筒部１４を備えている。筒部１１、内筒部１３、外筒部１４は、同心に配置され、その筒軸は光軸と一致する。
内筒部１３は、筒部１１の像側に接続されている。また、内筒部１３の像側の一部は、外筒部１４に収納されるように設けられており、その収納されている部分の長さを変えることにより、本体部１を伸縮させて、被写体距離を変えることができる。外筒部１４は、本体部１をレンズ鏡筒の対物側にねじ込んで装着するためのネジ部１５を備えている。
筒部１１は、対物側に、光軸を中心として回転可能な先端部１１ａを有する。先端部１１ａは、フィルム保持部２１を差し込んで装着する後述のスリット部１２を備えており、スリット部１２よりも対物側に透過拡散板１６を備えている。
【００２６】
フィルム保持部２１は、図２に示すように、撮影対象となるマウントフィルムを保持する略矩形の平板状の部材であり、例えば、３つの矩形の開口部２１１が一列に並べて形成されている。なお、ここで、マウントフィルムとは、フィルムを１コマごとに切り出し、プラスチック製等の保持枠を取り付けたものであり、以下“フィルム”と呼ぶこととする。開口部２１１は、撮影対象のフィルムを１コマずつ保持し、不図示のデジタル又はフィルム一眼レフカメラ（以下、“カメラ”と呼ぶ。）により撮影される撮影対象のフィルムの領域を開口部分から観察できるように設けられている。
開口部２１１ａは、一列に並べられた３つの開口部２１１のうち、一端に設けられた開口部である。この開口部２１１ａは、ファインダ視野枠３（図３参照。）との位置を決める指標部である指示部２１２が設けられている。開口部２１１ａは、ファインダ視野枠３との位置合わせにのみ使用し、フィルムを保持しない。
指示部２１２は、開口部２１１ａの対角を結ぶように設けられた２本の線分により開口部２１１ａの角部を指し示すものである。指示部２１２は、例えば、線状に形成され、フィルム保持部２１と一体成型の部材でもよいし、透明又は半透明な板に開口部２１１ａの対角を結ぶ２本の線分の表示を設け、開口部２１１ａに固定する等、別部材でもよい。
【００２７】
スリット部１２は、図１に示すように、先端部１１ａの外周面に設けられた、略矩形であり周方向に長い２つの開口部であり、フィルム保持部２１を光軸と垂直に交差させ、先端部１１ａに通して装着することができる。
透過拡散板１６は、本体部１の対物側から入射する光を均等化して撮影対象のフィルムに投射させる半透明の板である。
また、本体部１及びフィルム保持部２１は、フィルムのコマを送るときに、ファインダ視野枠３と開口部２１１とのコマ送り方向の位置を決める後述する不図示のクリック部を備えている。
【００２８】
（フィルム保持部の光軸を中心とした回転方向の位置決め）
使用者は、本体部１をカメラのレンズ鏡筒の対物側にねじ込んで取り付け、撮影対象となるフィルムを各開口部２１１に保持したフィルム保持部２１を、スリット部１２に差し込んで本体部１に装着する。
次に、使用者は、開口部２１１ａを光軸上の所定の位置に合わせ、カメラのファインダから観察する。
【００２９】
図３は、実施例１の撮影用フィルム保持装置を取り付けたカメラのファインダ表示を示す図である。図３（ａ）は、ファインダ視野枠３と開口部２１１ａとの傾きがずれている状態を示す図であり、図３（ｂ）は、ファインダ視野枠３と開口部２１１ａとの傾きが合っている状態を示す図である。
ファインダ視野枠３は、ファインダから観察される領域を定め、構図を決める目安となる枠であり、その下方には、撮影時の絞り値表示３１とシャッタースピード表示３２が表示されている。
【００３０】
本体部１は、レンズ鏡筒の対物側にねじ込んで取り付けるので、取り付けたときの本体部１の傾きは一定ではない。そのため、ファインダ視野枠３と開口部２１１ａとの傾きが合っていないときは、ファインダ視野枠３の角部と指示部２１２の２本の線分とは一致していない。例えば、図３（ａ）では、開口部２１１ａはファインダ視野枠３に対して光軸を中心として左方向に傾いている。
【００３１】
このとき、使用者は、先端部１１ａを回転させ、指示部２１２の傾きを調節し、図３（ｂ）に示すように、ファインダ視野枠３の角部と指示部２１２の２本の線分とを一致させることにより、ファインダ視野枠３と開口部２１１ａとの傾きを合わせることができる。また、これにより、ファインダ視野枠３とフィルム保持部２１との傾きを合わせることができる。
【００３２】
（フィルム保持部のコマ送り方向の位置決め）
次に、使用者は、フィルム保持部２１を開口部２１１の並び方向に移動させてフィルムのコマを送り、開口部２１１ａに隣接し、撮影対象となるフィルムを保持する開口部２１１を光軸上の所定の位置へ移動させて、ファインダ視野枠３と開口部２１１とのコマ送り方向の位置を合わせる。
本体部１及びフィルム保持部２１に設けられた不図示のクリック部は、フィルムのコマを送るときに、ファインダ視野枠３と開口部２１１とのコマ送り方向の位置を決めるコマ送り方向位置決め機構部である。その作動は、不図示の切り替え操作部により有効、無効に切り替えられる。切り替え操作部は、本体部１に設けられてもよいし、フィルム保持部２１に設けられてもよい。
この切り替え操作部が有効のときは、フィルム保持部２１を開口部２１１の並び方向に移動させると、開口部２１１は１コマずつ光軸上の所定の位置で停止する。また、この切り替え操作部が無効のときは、フィルム保持部２１を開口部２１１の並び方向に移動させたとしても、開口部２１１は１コマずつ所定の位置で停止せず、フィルム保持部２１の本体部１への着脱等を素早く行うことができる。
【００３３】
使用者は、フィルムのコマを送るときに、切り替え操作部によりクリック部の作動を有効にした後に、フィルム保持部２１を開口部２１１の並び方向に移動させる。フィルム保持部２１は、クリック部により、ファインダ視野枠３と開口部２１１とのコマ送り方向の位置が合うように設けられた所定の位置で停止する。
よって、ファインダ視野枠３と開口部２１１とのコマ送り方向の位置は、合わせることができる。
【００３４】
以上説明したように、実施例１によれば、ファインダ視野枠３と撮影対象のフィルムとの傾きは、ファインダ視野枠３の角部と指示部２１２の線分とを一致させることにより、ファインダ視野枠３と開口部２１１ａとの傾きを合わせることができる。よって、ファインダ視野枠３とフィルム保持部２１との傾きを合わせることができ、ファインダ視野枠３と撮影対象のフィルムとの傾きのずれを解消できる。
【００３５】
また、ファインダ視野枠３と撮影対象のフィルムとのコマ送り方向の位置は、本体部１及びフィルム保持部２１に設けられたクリック部により、合わせることができる。
従って、ファインダ視野枠３と撮影対象のフィルムとの位置を容易に合わせることができ、ファインダ視野枠３と撮影対象のフィルムとの位置がずれたまま撮影されることを防止できる。
【実施例２】
【００３６】
図４は、実施例２の撮影用フィルム保持装置のフィルム保持部２２を示す図である。
なお、以下、各実施例において、前述した実施例１と同様の機能を果たす部分には、同一の番号を付して、重複する説明を適宜省略する。
実施例２の撮影用フィルム保持装置は、実施例１における開口部２１１ａに設けられた指標部の形態が異なることの他は、実施例１と同様である。
【００３７】
実施例２のフィルム保持部２２は、実施例１のフィルム保持部２１と略同様の部材であり、例えば、３つの矩形の開口部２２１が一列に並べて形成されている。開口部２２１は、実施例１における開口部２１１と略同様の開口部である。
開口部２２１ａは、一列に並べられた３つの開口部２２１のうち、一端に設けられた開口部であり、ファインダ視野枠３と開口部２２１ａとの位置を決める指標部として、開口部２２１ａの各角部に透過部２２２が形成されている。
【００３８】
透過部２２２は、開口部２２１ａの各角部の頂点に相当する点を中心として、角部を形成する一方の辺から他方の辺まで円弧を描くように形成された切り欠きであり、開口部２２１ａの縁の外側に設けられている。そのため、ファインダ視野枠３と開口部２２１ａとの傾きがずれているときは、少なくとも１つの透過部２２２がファインダ視野枠３内に観察され、ファインダ視野枠３と開口部２２１ａとの傾きが合っているときは、透過部２２は、ファインダ視野枠３内に観察されない。
また、透過部２２２は、例えば、矩形、三角形、曲線形等の形状で形成されてもよい。
【００３９】
使用者は、撮影用フィルム保持装置をレンズ鏡筒に取り付け、開口部２２１ａを光軸上の所定の位置に合わせ、ファインダから観察する。
図５は、実施例２の撮影用フィルム保持装置を取り付けたカメラのファインダ表示を示す図である。図５（ａ）は、ファインダ視野枠３と開口部２２１ａとの傾きがずれている状態を示す図であり、図５（ｂ）は、ファインダ視野枠３と開口部２２１ａとの傾きが合っている状態を示す図である。
【００４０】
図５（ａ）に示すように、ファインダ視野枠３と開口部２２１ａとの傾きが合っていないときは、透過部２２２の少なくとも１つがファインダ視野枠３内に観察される。
このとき、使用者は、先端部１１ａを回転させ、図５（ｂ）に示すように、透過部２２２がファインダ視野枠３内に観察されなくなるように調節し、ファインダ視野枠３と開口部２２１ａとの傾きを合わせる。
以上説明したように、実施例２によれば、透過部２２２がファインダ視野枠３内に観察されない位置に開口部２２１ａを合わせることにより、ファインダ視野枠３と撮影対象のフィルムとの傾きのずれを解消できる。
さらに、ファインダ視野枠３と撮影対象のフィルムとの傾きが合っているときに、透過部２２２はファインダ視野枠３内に観察されないので、透過部２２２を設けた開口部２２１ａを撮影に使用できる。
【実施例３】
【００４１】
図６は、実施例３の撮影用フィルム保持装置をフィルム保持部２４よりも像側で切断したときの切断面を、切断面の像側から見た図である。
実施例３の撮影用フィルム保持装置は、実施例１のものと略同様であるが、以下の点で相違する。実施例１の開口部２１１とは形態が異なる開口部２３１（２３１ａ、２３１ｂ、２３１ｃ）を有する。本体側指標部４１及びフィルム指標部４２を備えている。先端部１１ａに本体側指標部４１を装着する不図示のスリット部が設けられている。フィルム指標部４２がフィルム保持部２３に着脱可能に装着され、コマ送り方向の位置合わせの後に、前述のスリット部よりフィルム指標部４２を取り外すことができる。
【００４２】
実施例３の撮影用フィルム保持装置は、先端部１１ａに、本体側指標部４１を着脱可能に装着する不図示のスリット部を備えている。このスリット部は、矩形であり周方向に長い開口部である。
本体側指標部４１は、本体側指示部４１１を有する透明又は半透明な略矩形の板であり、ファインダ視野枠３と後述の開口部２３１との位置を決める指標部であり、スリット部により先端部１１ａに着脱可能に装着される。なお、本体側指標部４１は、スリット部により、後述するフィルム保持部２３よりも対物側に装着されてもよいし、像側に装着されてもよい。
本体側指示部４１１は、ファインダから観察したときに、ファインダ視野枠３の対角を結ぶように設けられた２本の線分であり、例えば、本体側指標部４１に印刷されている。
【００４３】
フィルム保持部２３は、実施例１におけるフィルム保持部２１と略同様の部材であり、例えば、３つの矩形の開口部２３１を一列に並べて備えている。開口部２３１は、実施例１における開口部２１１と略同様の開口部であるが、撮影対象となるフィルムと後述のフィルム指標部４２とを重ねて保持することができる。
説明の便宜上、一列に並べられた３つの開口部２３１において、一端から開口部２３１ａ、２３１ｂ、２３１ｃとする。
フィルム指標部４２は、フィルム指示部４２１を有する、透明又は半透明な矩形の薄い板又はフィルム等の膜であり、ファインダ視野枠３と開口部２３１との位置を決める指標部であり、フィルム保持部２３に着脱可能に装着される。また、フィルム指標部４２は、後述のコマ送り方向の位置を合わせる動作の後に、スリット部より、フィルム保持部２３から取り外すことができる。
フィルム指示部４２１は、開口部２３１の対角を結ぶように設けられた２本の線分の表示であり、開口部２３１の角部を指し示す指示部である。フィルム指示部４２１は、例えば、フィルム指標部４２に印刷されている。
【００４４】
（フィルム保持部の光軸を中心とした回転方向の位置決め）
使用者は、撮影用フィルム保持装置をレンズ鏡筒に取り付ける。このときに、開口部２３１ａは、撮影対象となるフィルムとフィルム指標部４２とを重ねて保持する。なお、フィルム指標部４２は、全ての開口部２３１に保持されてもよい。
次に、使用者は、開口部２３１ａを、光軸上の所定の位置に合わせ、ファインダから観察する。
【００４５】
実施例１と同様に、ファインダ視野枠３と開口部２３１ａとの傾きが合っていないときは、ファインダ視野枠３の角部とフィルム指示部４２１の２本の線分とは一致しない。
このとき、使用者は、先端部１１ａを回転させ、ファインダ視野枠３の角部とフィルム指示部４２１の２本の線分とを一致させることにより、ファインダ視野枠３とフィルム保持部２３との傾きを合わせることができる。
また、使用者は、ファインダ視野枠３と開口部２３１ａとの位置を合わせた後に、スリット部より、フィルム指標部４２を開口部２３１ａから取り外して、撮影対象のフィルムを撮影することができる。
【００４６】
（フィルム保持部のコマ送り方向の位置決め）
次に、本体側指標部４１をスリット部に装着し、フィルム指標部４２を開口部２３１ｂに保持させる。フィルム保持部２３を開口部２３１の並び方向に移動させ、フィルムのコマを送り、開口部２３１ｂを光軸上の所定の位置に合わせて、カメラのファインダから観察する。
【００４７】
図７は、実施例３の撮影用フィルム保持装置を取り付けたカメラのファインダ表示を示す図である。図７（ａ）は、本体側指示部４１１に対してフィルム指示部４２１がコマ送り方向にずれている状態を示す図であり、図７（ｂ）は、本体側指示部４１１とフィルム指示部４２１とが一致している状態を示す図である。
【００４８】
図７（ａ）に示すように、本体側指示部４１１の２本の線分とフィルム指示部４２１の２本の線分とが一致していないときに、使用者は、フィルム保持部２３を移動させて、本体側指示部４１１の２本の線分とフィルム指示部４２１の２本の線分とが一致するように調節する。図７（ｂ）に示すように、本体側指示部４１１の２本の線分とフィルム指示部４２１の２本の線分とを一致させることにより、ファインダ視野枠３と開口部２３１ｂとのコマ送り方向の位置を合わせることができる。
使用者は、ファインダ視野枠３と開口部２３１ｂとのコマ送り方向の位置を合わせた後に、本体側指標部４１をスリット部から取り外す。次に、フィルム指標部４２をスリット部よりフィルム保持部２３から取り外して、フィルムを撮影することができる。
【００４９】
以上説明したように、実施例３によれば、ファインダ視野枠３と撮影対象となるフィルムとの傾きは、実施例１と同様に、ファインダ視野枠３の角部とフィルム指示部４２１の２本の線分とを一致させることにより、ファインダ視野枠３と撮影対象のフィルムとの傾きのずれを解消できる。
【００５０】
コマ送り方向の位置は、本体側指標部４１をスリット部に装着し、フィルム指標部４２を次の撮影対象となるフィルムを保持する開口部２３１ｂに装着して、フィルム保持部２３を所定の方向に移動させ、ファインダ視野枠３内に観察される本体側指示部４１１の２本の線分とフィルム指示部４２１の２本の線分とを一致させることにより、ファインダ視野枠３と開口部２３１ｂとのコマ送り方向の位置を合わせることができる。
【００５１】
また、本体側指標部４１を用いず、ファインダ視野枠３の角部とフィルム指示部４２１の２本の線分とを一致させることにより、ファインダ視野枠３と開口部２３１とのコマ送り方向の位置を合わせることができる。しかし、本体側指標部４１を用いて、本体側指示部４１１の２本の線分とフィルム指示部４２１の２本の線分とを一致させることにより、ファインダ視野枠３と開口部２３１とのコマ送り方向の位置を、より容易に合わせることができる。
【００５２】
以上に示したように、実施例３の撮影用フィルム保持装置によれば、ファインダ視野枠３と撮影対象のフィルムとの位置を容易に合わせることができ、ファインダ視野枠３と撮影対象のフィルムとの位置がずれたまま撮影されることを防止できる。
また、フィルム指標部４２はフィルム保持部２３に着脱可能であり、位置合わせの後にフィルム保持部から取り外すことができる。よって、全ての開口部を撮影に使用することができる。
【実施例４】
【００５３】
図８は、実施例４の撮影用フィルム保持装置のコマ送り方向位置決め指標部を示す図である。図８（ａ）は、第２指標部が設けられたフィルム保持部２４を示す図であり、図８（ｂ）は、フィルム保持部２４を装着した状態の本体部１を、対物側から見た図である。
実施例４の撮影用フィルム保持装置は、ファインダ視野枠３と撮影対象のフィルムとのコマ送り方向の位置を決めるコマ送り方向位置決め指標部を設けた点で実施例１と異なる。
【００５４】
ファインダ視野枠３と撮影対象のフィルムとのコマ送り方向の位置を決めるコマ送り方向位置決め指標部は、本体部１に設けられた第１指標部５１と、フィルム保持部２４に設けられた第２指標部５２とを有する。
フィルム保持部２４は、実施例１におけるフィルム保持部２１と略同様の部材であり、実施例１における開口部２１１と略同様の開口部２４１を有する。
第１指標部５１は、先端部１１ａの対物側側面の円周側に設けられた略円形の２つの孔である。第２指標部５２は、フィルム保持部２４上に、第１指標部と対応するように設けられた×（バツ）印であり、ファインダ視野枠３と各開口部２４１とのコマ送り方向の位置が合っているときは、本体部１の対物側から第１指標部５１の２つの孔を通して観察され、位置が合っていないときは、第１指標部５１の２つの孔から観察されないように設けられている。
【００５５】
フィルム保持部２４を移動させてフィルムのコマを送るときに、第１指標部５１の中心に第２指標部５２の×（バツ）印の中心が観察される位置でフィルム保持部２４を停止させることにより、ファインダ視野枠３と開口部２４１とのコマ送り方向の位置を合わせることができる。よって、これによりファインダ視野枠３と撮影対象のフィルムとのコマ送り方向の位置のずれを解消できる。
また、実施例２においても、本実施例に示したコマ送り方向位置決め指標部を設けてもよい。
【００５６】
（変形例）
以上説明した実施例に限定されることなく、種々の変形や変更が可能であって、それらも本発明の均等の範囲内である。
（１）実施例１において、指示部２１１は、フィルム保持部２１と一体成型等により固定された部材で設けられる例を示したが、これに限らず、例えば、実施例３のフィルム指標部４２のように、フィルム保持部２１に着脱可能に装着されるようにしてもよい。
【００５７】
（２）実施例１において、指示部２１１は、開口部２１１ａの対角を結ぶように設けられた２本の線分により開口部２１１ａの角部を指し示すものとしたが、これに限らず、例えば、開口部２１１ａの対角を結ぶ１本の線分、開口部２１１ａの対角を結ぶ１本又は２本の破線、開口部２１１ａの対角を結ぶ少なくとも１本の線分の角部に近接する部分のみを表示したもの、開口部２１１ａの角部を指し示す図形や記号等による表示等でもよいし、それらを適宜組み合わせたものでもよい。
また、実施例３のフィルム指示部４２１も、指示部２１１と同様に設けてもよい。そのとき、本体側指示部４１１は、ファインダ視野枠３と開口部２３１とのコマ送り方向の位置が合ったときに、フィルム指示部４２１と一致する形態や、フィルム指示部４２１の表示と一体となって図形等を形成する形態等、その位置がずれたときにそのずれを使用者にわかりやすく示す形態であればよい。
【００５８】
（３）実施例２において、透過部２２２は、開口部２２１ａの各角部に形成された４つの切り欠きとして設けられる例を示したが、これに限らず、例えば、透過部２２２は、ファインダ視野枠３と開口部２２１ａとの傾きがずれているときに、少なくとも１つの透過部２２２がファインダ視野枠３内に観察されるように、開口部２２１ａの隣り合う２つ以上の角部に設けられればよい。
また、透過部２２２は、開口部２２１ａの少なくとも３つの辺に設けてもよく、例えば、開口部２２１ａの隣り合う２つの角部において、角部を形成する２辺の角部に近接する辺上にそれぞれ透過部２２２を設けてもよい。
【００５９】
（４）実施例２において、透過部２２２は、開口部２２１ａにのみ設けられる例を示したが、これに限らず、例えば、すべての開口部２２１に透過部２２２を設けてもよい。また、すべての開口部２２１に透過部２２２を設けたときに、透過部２２２は、ファインダ視野枠３と撮影対象のフィルムとのコマ送り方向の位置がずれている場合にもファインダ視野枠３内に観察されるので、コマ送り方向の位置を決めるクリック部やコマ送り方向位置決め指標部等を設けなくてもよい。
【００６０】
（５）実施例１から実施例３までにおいて、本発明の撮影用フィルム保持装置により、フィルムを撮影するカメラをデジタル又はフィルム一眼レフカメラとする例を示したが、これに限らず、撮影レンズにより結ばれた像をファインダから観察できるカメラであればよく、例えば、電子式ビューファインダや、電子式画像表示部等を備えたデジタルカメラでもよい。
【００６１】
（６）実施例１から実施例３までにおいて、撮影対象のフィルムとしてマウントフィルムを用いる例を示したが、これに限らず、例えば、スリーブ式のフィルムでもよい。また、ポジフィルムでもよいし、ネガフィルムでもよい。また、３５ミリフィルムでもよいし他の大きさのフィルムでもよい。
【００６２】
（７）実施例１から実施例３までにおいて、フィルム保持部に開口部を３つ設ける例を示したが、これに限らず、フィルム保持部に設けられる開口部は、いくつでもよい。
【図面の簡単な説明】
【００６３】
【図１】実施例１の撮影用フィルム保持装置の本体部１を示す図である。
【図２】実施例１の撮影用フィルム保持装置のフィルム保持部２１を示す図である。
【図３】実施例１の撮影用フィルム保持装置を取り付けたカメラのファインダ表示を示す図である。
【図４】実施例２の撮影用フィルム保持装置のフィルム保持部２２を示す図である。
【図５】実施例２の撮影用フィルム保持装置を取り付けたカメラのファインダ表示を示す図である。
【図６】実施例３の撮影用フィルム保持装置をフィルム保持部２４よりも像側で切断したときの切断面を、切断面の像側から見た図である。
【図７】実施例３の撮影用フィルム保持装置を取り付けたカメラのファインダ表示を示す図である。
【図８】実施例４の撮影用フィルム保持装置のコマ送り方向位置決め指標部を示す図である。
【符号の説明】
【００６４】
１  本体部
１１  筒部
１１ａ  先端部
１２  スリット部
１３  内筒部
１４  外筒部
１５  ネジ部
１６  透過拡散板
２１、２２、２３、２４  フィルム保持部
２１１、２１１ａ  開口部
２１２  指示部
２２１、２２１ａ  開口部
２２２  透過部
２３１、２３１ａ、２３１ｂ、２３１ｃ  開口部
２４１  開口部
３  ファインダ視野枠
３１  絞り値表示
３２  シャッタースピード表示
４１  本体側指標部
４１１  本体側指示部
４２  フィルム指標部
４２１  フィルム指示部
５１  第１指標部
５２  第２指標部
【図１】
2005283884.tif 000003
【図２】
2005283884.tif 000004
【図３】
2005283884.tif 000005
【図４】
2005283884.tif 000006
【図５】
2005283884.tif 000007
【図６】
2005283884.tif 000008
【図７】
2005283884.tif 000009
【図８】
2005283884.tif 000010